(57)【要約】【課題】密閉型圧縮機の給油機構部からの微細な異物混入を容易な構成で防止し、圧縮機の信頼性向上を図ること。【解決手段】吸入口部（カシメタイプ）２０８内部に圧縮機構部１０２への異物混入防止のための網目フィルタ２０７が取り付けられている構成において、網目フィルタ２０７を吸入口部）２０８に設けられたカシメ部で挟みこんだ後、蓋板部にレーザ溶接固定することにより、網目フィルタ２０７のロー付け工程を省くことが出来る。また網目フィルタ２０７の取り付けを挟み込み方式にすることにより、ステンレス材の網目フィルタ２０７も取り付け可能になり、超微細なメッシュが構成可能になった。【選択図】図１
2012102611.tif 000002
【特許請求の範囲】
【請求項１】
密閉容器内にクランク軸を介して圧縮動作を行う圧縮機構部と、これを駆動する電動機と、クランク軸内部に設けた給油穴より圧縮機構部へ潤滑油を供給する給油機構を配して構成される密閉型圧縮機において、この給油機構が吸入口部と、蓋板部と、容積型吸入機構部と、これを格納するためのポンプケースとをボルト等により嵌め合い固定して成るもので、前記吸入口部の内部には圧縮機構部への異物混入防止のために網目フィルタが取り付けられている構成において、網目フィルタを吸入口部に設けたカシメ部で挟みこんだ後、蓋板部にレーザ溶接固定する密閉型圧縮機の製造方法。
【請求項２】
網目フィルタとしてステンレス材と仕様したことを請求項１記載の密閉型圧縮機の製造方法。
【発明の詳細な説明】
【技術分野】
【０００１】
本発明は、業務用及び家庭用の空気調和機、車載用の空気調和機、給湯器等に使用される密閉型圧縮機の製造方法に関するもので、特にその給油機構の製造方法に関するものである。
【背景技術】
【０００２】
従来例として、密閉型電動スクロール圧縮機を例にとり、図面とともに説明する。
【０００３】
従来、密閉型圧縮機の内部に給油機構を設ける場合、インバータ駆動のようなあらゆる運転周波数においても、確実にメカ内部に潤滑油を供給することを目的としている（例えば、特許文献１参照）。
【０００４】
図２は、前記特許文献１に記載された従来の給油機構の構成を示す、密閉型電動スクロール圧縮機の場合の断面図であり、図３はこの場合の給油機構の組立部品構成図である。
【０００５】
図２に示すように、密閉容器１０１の内部には、圧縮機構部１０２と、電動機部１０３と、クランク軸１０６と、プレート１１６とが設置されている。電動機部１０３は、固定子１０４と、回転子１０５とから構成されており、この電動機部１０３で発生する回転力は、クランク軸１０６によって圧縮機構部１０２へ伝達される。
【０００６】
圧縮機構部１０２は、軸受部材１０８を設置した主軸受１０９と、固定スクロール１１０と、旋回スクロール１１３と、オルダムリング１１５とから構成されている。
【０００７】
電動機の回転力がこの圧縮機構部１０２へ伝達されると、これらの部品によって圧縮作用が発生し、その結果、密閉容器１０１に設けられた吸い込み管１１１から低圧冷媒が吸い込まれ、圧縮機構部１０２で圧縮された後、吐き出し管１１２から高圧冷媒として吐き出される。なお、スクロール圧縮機の圧縮原理については、既に公知であるので、ここでは省略する。
【０００８】
クランク軸１０６は、圧縮機構部１０２に設置された主軸受１０９と、密閉容器１０１に固定されたプレート１１６に設けられた副軸受１１４とによって、回転自在に支承されている。
【０００９】
ここで、プレート１１６にはポンプケース２０１、歯車ポンプ２０２、蓋板部２０３、吸入口部２０５をボルト２０６で組み付け固定した給油機構１１７が設置されており、クランク軸１０６が回転することにより、密閉容器１０１内部に溜められた潤滑油１０７を汲み上げ、クランク軸１０６の内部に設けた給油穴を通って、圧縮機構部１０２の各部を潤滑する。
【先行技術文献】
【特許文献】
【００１０】
【特許文献１】特開２００５−１１３７９２号公報
【発明の概要】
【発明が解決しようとする課題】
【００１１】
しかしながら、前記従来の構成のような給油機構の場合、圧縮機構部への異物混入防止のため吸入口部内部に網目フィルタをロー付け後、蓋板部にレーザー溶接固定しており工
程が複雑である。
【００１２】
また、ロー付け可能な鉄製の網目フィルタは微細なメッシュが無く、微細なメッシュがあるステンレス材はロー付けが出来ない。そのため微細な異物が潤滑油と共に、圧縮機構部に入り信頼性低下の要因となる。
【００１３】
本発明はこれらの課題を解決するものであり、給油機構の溶接工程を削減し、異物混入を防ぎ、低コストで信頼性に優れた密閉圧縮機の製造方法を提供することを目的とする。
【課題を解決するための手段】
【００１４】
前記従来の課題を解決する為に、網目フィルタを吸入口部に設けたカシメ部で挟みこんだ後、蓋板部にレーザ溶接固定することにより網目フィルタのロー付け工程を省くことが出来る。
【００１５】
また網目フィルタの取り付けを挟み込み方式にすることにより、ステンレス材の網目フィルタも取り付け可能になり、超微細なメッシュが構成可能になった。
【発明の効果】
【００１６】
本発明の給油機構の構成によれば、給油機構の組立工程の削減と、微細な異物の混入を防ぎ、低コストで信頼性に優れた密閉圧縮機の製造方法を提供することができる。
【図面の簡単な説明】
【００１７】
【図１】本発明の実施の形態における給油機構の組立部品構成図
【図２】従来の密閉型電動スクロール圧縮機の断面図
【図３】従来の密閉型電動スクロール圧縮機における給油機構組部品構成図
【発明を実施するための形態】
【００１８】
以下、本発明の実施の形態について、図面を参照しながら説明する。
【００１９】
（実施の形態１）
図１は、本発明の実施の形態における給油機構１１７の組立部品構成を表す一例の図で、吸入口部２０８は蓋板部２０３にレーザ溶接固定される。
【００２０】
この時、吸入口部２０８内部には圧縮機構部１０２への異物混入防止のために網目フィルタ２０７が取り付けられている構成において、網目フィルタ２０７を吸入口部に設けたカシメ部で挟みこむ構成にすることにより、ロー付け工程を省くことができる。
【００２１】
かかる構成によれば、組立工数を削減でき、かつステンレス材の網目フィルタ２０７も搭載可能になり、微細なメッシュで微細な異物の混入を防ぎ、信頼性の向上を図ることができる。
【産業上の利用可能性】
【００２２】
以上のように、本発明にかかる密閉型圧縮機は、給油機構の組立工程が削減でき、微細な異物混入を防止し、低コストで信頼性に優れた密閉圧縮機を提供することができる。
【符号の説明】
【００２３】
１０１  密閉容器
１０２  圧縮機構部
１０３  電動機部
１０４  固定子
１０５  回転子
１０６  クランク軸
１０７  潤滑油
１０８  軸受部材
１０９  主軸受
１１０  固定スクロール
１１１  吸い込み管
１１２  吐き出し管
１１３  旋回スクロール
１１４  副軸受
１１５  オルダムリング
１１６  プレート
１１７  給油機構
２０１  ポンプケース
２０２  歯車ポンプ
２０３  蓋板部
２０５  吸入口部
２０６  ボルト
２０７  網目フィルタ
２０８  吸入口部
【図１】
2012102611.tif 000003
【図２】
2012102611.tif 000004
【図３】
2012102611.tif 000005